(57)【要約】【課題】  装置全体が大型化せず、低コストで、光源からの光を効率良く導いて発光部を良好に発光させることができる照光装置を提供する。【解決手段】  透明な材料からなるほぼ平板状の導光板１０と、この導光板１０の一端部に配置された発光素子１１と、導光板１０の上面に設けられたリング状の発光部１２と、導光板１０の下面および上面に設けられた第１、第２の各反射シート１４、１５と、導光板１０の外周における側面に対面して設けられた上ケース２のリブ１６とを備えた。従って、発光素子１１の光が導光板１０の一端部における側面から導光板１０中に採り込まれ、この採り込まれた光が導光板１０で導かれる際、第１、第２の各反射シート１４、１５およびリブ１６によって採り込まれた光を、導光板１０の外部に漏らすことなく、効率良く発光部１２に導いて発光部１２を発光させることができる。【選択図】        図１３
2009032430.tif 000002
【特許請求の範囲】
【請求項１】
透明な材料からなるほぼ平板状の導光板と、
この導光板の一端部に配置された光源と、
前記導光板の裏面全体に設けられた第１反射シートと、
前記導光板の表面に設けられ、前記導光板内に採り込まれた前記光源の光を前記導光板の外へ放出するための発光部と、
前記導光板の表面の前記発光部を除く箇所に設けられた第２反射シートと、
前記導光板の外周における側面に対面する位置に設けられた反射部材と、
を備えていることを特徴とする照光装置。
【請求項２】
前記導光板における前記光源側に位置する前記一端部側は、前記光源の外形寸法とほぼ同じ厚みで、前記発光部側の前記導光板よりも裏面側に厚く形成されていることを特徴とする請求項１に記載の照光装置。
【請求項３】
前記導光板における前記光源側に位置する前記一端部側は、その裏面側に向けて緩やかに湾曲しながら次第に厚みが厚くなると共に、前記発光部側の前記導光板よりも一段低く形成され、且つこの一段低い部分が前記光源とほぼ同じ厚みで、前記発光部側の前記導光板よりも厚く形成されていることを特徴とする請求項１に記載の照光装置。
【請求項４】
前記発光部は、円形状、楕円形状、多角形状などのほぼ環状形状をなし、前記導光板の表面から突出する凸形状に形成されていることを特徴とする請求項１〜３のいずれかに記載の照光装置。
【請求項５】
前記発光部の表面には、微細な凹凸からなる拡散層が形成されていることを特徴とする請求項４に記載の照光装置。
【請求項６】
前記発光部の表面には、拡散シートが設けられていることを特徴とする請求項４に記載の照光装置。
【請求項７】
前記光源は、前記導光板における前記光源側の前記一端部に対して直交する前記導光板の両側縁と平行する前記発光部の接線の延長上にそれぞれ配置されていることを特徴とする請求項１〜６のいずれかに記載の照光装置。
【請求項８】
前記光源側と反対側に位置する前記導光板の端部は、ほぼ半円形状に形成されていることを特徴とする請求項１〜７のいずれかに記載の照光装置。
【請求項９】
前記導光板の外周における側面に対面する位置に設けられた前記反射部材は、前記導光板が配置される機器ケースに設けられて前記導光板の周囲を囲うリブであることを特徴とする請求項１〜８のいずれかに記載の照光装置。
【発明の詳細な説明】
【技術分野】
【０００１】
この発明は、携帯端末機などの電子機器に用いられる照光装置に関する。
【背景技術】
【０００２】
従来、電子機器に用いられる照光装置においては、特許文献１に記載されているように、導光板と、この導光板の一端部の側面に対向して配置された光源と、導光板の上面に設けられた拡散板と、この拡散板の上面に設けられて図形などの表示部が設けられた光透過性を有する表示シートとを備え、光源からの光を導光板で導きながら導光板の上面から放出させて、その上側に配置された透明なタッチパネルを下側から照明するように構成されている。
【特許文献１】特開２００４−２２７９９７号
【０００３】
すなわち、この照光装置は、光源からの光を導光板の側面から採り込み、この採り込んだ光を導光板で導きながら、導光板の上面から順次放出させ、この放出された光を拡散板で拡散させて表示シートに照射させ、この照射された光が表示シートを透過する際、表示シートに設けられた図形などの表示部を表示させてタッチパネルの下面に照射されることにより、タッチパネルを下側から照明するように構成されている。
【発明の開示】
【発明が解決しようとする課題】
【０００４】
しかしながら、このような従来の照光装置では、導光板の上面全域から光を放出する構成であるから、タッチパネルに対する照度を高めるために、光源として発光輝度の高い光源を用いるか、あるいは光源の数を増やすかしなければ、導光板の上面から放出される光の量、つまり導光板の輝度を十分に高めることができず、このためコストが高くなり、装置全体が大型化するという問題がある。
【０００５】
この発明が解決しようとする課題は、装置全体が大型化せず、低コストで、光源からの光を効率良く導いて発光部を良好に発光させることができる照光装置を提供することである。
【課題を解決するための手段】
【０００６】
この発明は、上記課題を解決するために、次のような構成要素を備えている。
請求項１に記載の発明は、透明な材料からなるほぼ平板状の導光板と、この導光板の一端部に配置された光源と、前記導光板の裏面全体に設けられた第１反射シートと、前記導光板の表面に設けられ、前記導光板内に採り込まれた前記光源の光を前記導光板の外へ放出するための発光部と、前記導光板の表面の前記発光部を除く箇所に設けられた第２反射シートと、前記導光板の外周における側面に対面する位置に設けられた反射部材と、を備えていることを特徴とする照光装置である。
【０００７】
請求項２に記載の発明は、前記導光板における前記光源側に位置する前記一端部側が、前記光源の外形寸法とほぼ同じ厚みで、前記発光部側の前記導光板よりも裏面側に厚く形成されていることを特徴とする請求項１に記載の照光装置である。
【０００８】
請求項３に記載の発明は、前記導光板における前記光源側に位置する前記一端部側が、その裏面側に向けて緩やかに湾曲しながら次第に厚みが厚くなると共に、前記発光部側の前記導光板よりも一段低く形成され、且つこの一段低い部分が前記光源とほぼ同じ厚みで、前記発光部側の前記導光板よりも厚く形成されていることを特徴とする請求項１に記載の照光装置である。
【０００９】
請求項４に記載の発明は、前記発光部が、円形状、楕円形状、多角形状などのほぼ環状形状をなし、前記導光板の表面から突出する凸形状に形成されていることを特徴とする請求項１〜３のいずれかに記載の照光装置である。
【００１０】
請求項５に記載の発明は、前記発光部の表面に、微細な凹凸からなる拡散層が形成されていることを特徴とする請求項４に記載の照光装置である。
【００１１】
請求項６に記載の発明は、前記発光部の表面に、拡散シートが設けられていることを特徴とする請求項４に記載の照光装置である。
【００１２】
請求項７に記載の発明は、前記光源が、前記導光板における前記光源側の前記一端部に対して直交する前記導光板の両側縁と平行する前記発光部の接線の延長上にそれぞれ配置されていることを特徴とする請求項１〜６のいずれかに記載の照光装置である。
【００１３】
請求項８に記載の発明は、前記光源側と反対側に位置する前記導光板の端部が、ほぼ半円形状に形成されていることを特徴とする請求項１〜７のいずれかに記載の照光装置である。
【００１４】
請求項９に記載の発明は、前記導光板の外周における側面に対面する位置に設けられた前記反射部材が、前記導光板を配置する機器ケースに設けられて前記導光板の周囲を囲うリブであることを特徴とする請求項１〜８のいずれかに記載の照光装置である。
【発明の効果】
【００１５】
この発明によれば、透明な材料からなるほぼ平板状の導光板の一端部に配置された光源を発光させると、その発光した光が導光板の側面から導光板中に採り込まれ、この採り込まれた光が導光板で導かれる際、第１、第２の各反射シートおよび反射部材によって、採り込まれた光が導光板の外部に漏れることなく、効率良く発光部に導いて発光部を発光させることができる。このため、輝度の高い光源を用いず、また光源の数を増やす必要もなく、装置全体が大型化せず、低コストで、光源からの光を効率良く導いて発光部を良好に発光させることができる。
【発明を実施するための最良の形態】
【００１６】
以下、図１〜図２２を参照して、この発明の照光装置を携帯端末機に適用した一実施形態について説明する。
この携帯端末機は、クレジットカードなどのＩＣカードとの間でデータの授受を行い、読み取ったデータを暗号化してホストコンピュータに送信する決済用の携帯端末機であり、図１〜図５に示すように、機器本体１を備えている。
【００１７】
この機器本体１は、図１に示すように、上ケース２と下ケース３とを備えており、これらの内部には、図６および図７に示すように、表示部４、キーボード部５、照光装置６が上ケース２に対応して設けられているほか、図６〜図８に示すように、後述するカードリーダライタ部７や回路基板８などの各種の部品が組み込まれている。また、この機器本体１の背面部には、図１〜図７に示すように、ホストコンピュータとの間で送受信を行うための信号ケーブル９が後方に突出して設けられている。
【００１８】
この場合、機器本体１は、図１および図５に示すように、手前側の厚みが薄く、背面側に向かうに従って次第に厚みが厚くなるほぼ楔状の箱形状に形成されている。これに伴って、下ケース３は、図６に示すように、上面および背面が開放されたほぼ楔状の箱形状に形成されている。また、上ケース２は、図９および図１０に示すように、下ケース３の開放された上面と背面とを塞ぐほぼＬ字形状の板状に形成されている。
【００１９】
この上ケース２には、図３、図７および図９に示すように、表示部４に対応する表示開口部２ａ、キーボード部５に対応する多数のキー挿入孔２ｂ、照光装置６に対応する照光孔２ｃが、背面側から手前側に向けて順に設けられている。また、この上ケース２の上面には、図１および図５に示すように、表示部４とキーボード部５とを囲って表示部４に表示された情報およびキーボード部５のキー操作が第３者から見えないように隠すためのカバー部材２ｄが設けられている。さらに、この上ケース２の背面には、図９に示すように、第１通気孔２ｅが設けられている。
【００２０】
表示部４は、図６および図７に示すように、液晶表示パネルやＥＬ表示パネルなどの平面型の表示パネルからなり、図１、図３および図７に示すように、上ケース２の表示開口部２ａに対応して上方に露出した状態で下ケース３内に取り付けられている。キーボード部５は、図１および図３に示すように、テンキー、ファンクションキーなどの各種のキーを備えたものであり、図１および図７に示すように、スイッチ基板５ａ上にキーシート５ｂが設けられ、キーシート５ｂに多数のキートップ５ｃがドーム状に膨出形成され、このキートップ５ｃが上ケース２の各キー挿入孔２ｃに挿入されて上ケース２の上面側に突出した構成になっている。
【００２１】
照光装置６は、図６〜図８に示すように、その下側に配置されるカードリーダライタ部７の位置を示すためのものであり、導光板１０と発光素子１１とを備えている。導光板１０は、アクリルなどの透明な合成樹脂からなり、図６に示すように、全体がほぼ平板状に形成されており、この導光板１０の上面には、図１１〜図１３に示すように、後述するリング状の発光部１２が設けられている。発光素子１１は、ＬＥＤ（発光ダイオード）などからなる光源であり、導光板１０の一端部（図６では右辺部）における左右両側部に設けられた切欠き部１３内にそれぞれ配置され、この状態でスイッチ基板５ａに電気的に接続されて取り付けられている。
【００２２】
この場合、導光板１０は、図６、図１１〜図１３に示すように、全体が舌形状をなすほぼ平板状に形成されている。すなわち、この導光板１０は、図１１および図１３に示すように、発光素子１１と反対側に位置する先端部（図１１では下辺部）がほぼ半円形状に形成され、且つ発光素子１１側に位置する一端部側（図７では右端部側）が、図８および図１２に示すように、下面側に向けて曲率半径の大きい曲線、つまり曲率の小さい曲線で、緩やかに湾曲して発光部１２側の導光板１０よりも一段低く形成されている。
【００２３】
つまり、この導光板１０は、図８および図１２に示すように、発光素子１１側に位置する一端部側（図８では右端部側）が緩やかに湾曲しながら次第に厚みが厚くなると共に、発光部１２側の導光板１０よりも一段低く形成され、且つこの一段低い部分の端部側が発光素子１１の厚み（外形寸法）とほぼ同じか、それよりも少し厚い厚みで、発光部１２側の導光板１０の厚みよりも厚く形成されている。これにより、導光板１０は、発光素子１１で発光した光を切欠き部１３の内面から採り込み、この採り込んだ光を湾曲した部分によって発光部１２側に導くように構成されている。
【００２４】
発光部１２は、図１１〜図１３に示すように、所定の幅を有する円形のリング状をなし、導光板１０の上面から突出する凸形状に形成されている。この発光部１２の上面には、図１１および図１３に示すように、導光板１０で導かれた光を拡散させて上方に放出するための微細な凹凸からなる拡散層１２ａが設けられている。この場合、２つの発光素子１１は、図１１に示すように、リング状の発光部１２の外周と内周とに接する各接線のうち、導光板１０における発光素子１１側の一端部に対して直交する導光板１０の両側縁と平行する発光部１２の外周と内周との各接線Ｓの延長上の間に位置する箇所にそれぞれ設けられた切欠き部１３内に配置され、これにより導光板１０内に採り込まれた光が導光板１０によって発光部１２側に向けて進行しやすいように配置されている。
【００２５】
また、この導光板１０の下面には、図１２および図１３に示すように、第１反射シート１４が設けられており、またこの導光板１０の上面には、第２反射シート１５が発光部１２を除いて設けられている。第１反射シート１４は、図１２および図１３に示すように、導光板１０の下面全域に設けられ、導光板１０で導かれる光が下面側から漏れるのを防ぐように構成されている。第２反射シート１５は、図１３に示すように、発光部１２の外周側に位置する導光板１０の上面に設けられた外側反射シート１５ａと、発光部１２の内周側に位置する導光板１０の上面に設けられた内側反射シート１５ｂとを備えている。
【００２６】
外側反射シート１５ａは、その厚みが発光部１２の高さよりも十分に薄いものであり、導光板１０で導かれる光が発光部１２の外周側に位置する導光板１０の上面から漏れるのを防ぐように構成されている。内側反射シート１５ｂは、その厚みが発光部１２の高さとほぼ同じ厚みで厚く形成され、導光板１０で導かれる光が発光部１２の内周側に位置する導光板１０の上面から漏れるのを防ぐように構成されている。なお、第１、第２反射シート１４、１５は、後述するカードリードライタ部７で発生する磁界や、カードリードライタ部７とＩＣカード（図示せず）との間のデータの授受を妨げることのない素材、例えば樹脂シートや紙などで形成されている。
【００２７】
この場合、内側反射シート１５ｂは、導光板１０の上面が曲率半径の極めて大きい曲面、つまりほぼ平面に近い曲面に形成されていることにより、内側反射シート１５ｂの取付方向が限定されている。このため、内側反射シート１５ｂは、図１１および図１３に示すように、発光部１２の内周側に位置する箇所の導光板１０に設けられた大きさの異なる位置決め孔１０ａによって位置決めされることにより、発光部１２の上面と内側反射シート１５ｂの上面とが同一面になるように構成されている。
【００２８】
また、この導光板１０は、図６〜図８に示すように、発光部１２側がカードリーダライタ部７の上側に配置され、発光素子１１側がスイッチ基板５ａ上に配置された状態で、スイッチ基板５ａによって下ケース３内に取り付けられている。また、この導光板１０は、図８に示すように、下ケース３に上ケース２が取り付けられる際に、図９および図１０に示すように、導光板１０の上面から突出した発光部１２が上ケース２の照光孔２ｃに挿入されて上ケース２の上面に露出すると共に、上ケース２の内面に形成されたリブ１６によって導光板１０の周囲が囲われている。
【００２９】
すなわち、上ケース２の内面に設けられたリブ１６は、図９および図１０に示すように、導光板１０の外周とほぼ同じ形状で、その高さが導光板１０の厚みと同じか、それよりも少し高く形成されている。これにより、このリブ１６は、その内周面が導光板１０の周囲における側面に対面する位置に設けられて、導光板１０の周囲における側面に密接して配置されることにより、導光板１０で導かれる光が導光板１０の周囲の側面から漏れるのを防ぐように構成されている。
【００３０】
この場合、上ケース２は、図１および図５に示すように、カードリーダライタ部７に対応するカード載置部２ｆの上面がその周囲の上面よりも少し高く形成され、これによりクレジットカードなどのＩＣカード（図示せず）を載せやすいように構成されている。また、この上ケース２におけるカード載置部２ｆの上面には、図５に示すように、透明な保護シート１７が貼り付けられている。この保護シート１７は、上ケース２の照光孔２ｃから上面側に露出した導光板１０の発光部１２および第２反射シート１５の内側反射シート１５ｂを覆って保護するように構成されている。
【００３１】
ところで、カードリーダライタ部７は、電磁誘導を利用した非接触型のデータ読み取り書き込み可能なものであり、上ケース２のカード載置部２ｆ上にＩＣカード（図示せず）を密着または接近させることにより、ＩＣカードに誘導起電力を発生させてＩＣカードを駆動させ、この状態でＩＣカードとの間でデータの授受を行うように構成されている。
【００３２】
このカードリーダライタ部７の上側に配置された照光装置６は、透明な合成樹脂からなる導光板１０の発光部１２側の部分がカードリーダライタ部７の上側に配置され、発光素子１１側の端部側がカードリーダライタ部７から離れているキーボード部５のスイッチ基板５ａ上に配置されていることにより、カードリーダライタ部７とＩＣカードとの間に導光板１０および発光部１２が介在されていても、導光板１０および発光部１２がカードリーダライタ部７に影響を与えず、カードリーダライタ部７とＩＣカードとの間でデータの授受が良好に行えるように構成されている。
【００３３】
一方、この携帯端末機は、カードリーダライタ部７とＩＣカードとの間でデータの授受を行う決済用の端末機であることから、情報を確実に保護するためのセキュウリティ対策が施されている。すなわち、機器本体１内には、図１４〜図１６に示すように、上ケース２と下ケース３とが分離するとき、または上ケース２と下ケース３との間に隙間が生じたときに、機器本体１内の重要なデータを消去または破壊するためのスイッチ装置２０が設けられている。
【００３４】
このスイッチ装置２０は、図１６〜図１９に示すように、下ケース３内の回路基板８における左右両側にそれぞれ設けられた２つのスイッチ部２１と、上ケース２内の左右両側にそれぞれ設けられてスイッチ部２１の操作子２１ａを押圧操作する２つの板ばね２２とを備えている。これにより、このスイッチ装置２０は、図１〜図７に示すように、上ケース２と下ケース３とが接合されている状態のときに、図２０（ａ）に示すように、下ケース３側のスイッチ部２１の操作子２１ａが上ケース２の板ばね２２で押圧されて、スイッチ部２１がオン状態を維持することにより、通常のデータ処理およびデータの管理を行うように構成されている。
【００３５】
また、このスイッチ装置２０は、図１４〜図１６に示すように、上ケース２と下ケース３とが分離したとき、あるいは上ケース２と下ケース３との間に隙間が生じたときに、図２０（ｂ）に示すように、下ケース３側のスイッチ部２１の操作子２１ａから上ケース２の板ばね２２が離れ、スイッチ部２１がオフ状態になることにより、機器本体１内の重要なデータを消去または破壊して重要なデータが外部に漏れないように構成されている。
【００３６】
また、この携帯端末機では、図２、図７および図１４に示すように、上ケース２の背面および下ケース３の底部に設けられた第１〜第３の各通気孔２ｅ、２３、２４が、全てルーバ構造に形成され、外部から機器本体１の内部が見えにくい構造になっている。これにより、この携帯端末機では、上ケース２の背面および下ケース３の底部に設けられた第１〜第３の各通気孔２ｅ、２３、２４からプローブ（針：図示せず）を刺し込み、このプローブによって機器本体１内の回路基板８が操作される不正アクセスを防ぐように構成されている。
【００３７】
この場合、上ケース２の背面には、樹脂シートからなる保護フィルム２５が第１通気孔２ｅに対応して設けられている。また、下ケース３内には、保護板２６がキーボード部５に対応して設けられている。この保護板２６は、金属板からなり、図２１に示すように、下ケース３の底面の第３通気孔２４に対向するキーボード部５のスイッチ基板５ａの下面（図２１では上面）を覆った状態で、下ケース３に取り付けられている。
【００３８】
このような携帯端末機によれば、機器本体１内のカードリーダライタ部７上に対応して配置される照光装置６が、透明な材料からなるほぼ平板状の導光板１０と、この導光板１０の一端部に設けられた切欠き部１３内に配置された発光素子１１と、導光板１０の下面全体に設けられた第１反射シート１４と、導光板１０の上面に設けられて導光板１０内に採り込まれた発光素子１１の光を導光板１０の外へ放出するための発光部１２と、導光板１０の上面の発光部１２を除く箇所に設けられた第２反射シート１５と、導光板１６の外周における側面に対面する位置に設けられた反射部材である上ケース２のリブ１６とを備えているので、装置全体が大型化せず、低コストで、発光素子１１からの光を効率良く導いて発光部１２を良好に発光させることができる。
【００３９】
すなわち、この照光装置６によれば、透明な材料からなるほぼ平板状の導光板１０の一端部に設けられた切欠き部１３内に配置された発光素子１１を発光させると、この発光素子１１で発光した光を切欠き部１３の内面から導光板１０中に効率良く採り込むことができ、この採り込まれた光が導光板１０で導かれる際、第１、第２の各反射シート１４、１５および反射部材であるリブ１６によって、採り込まれた光が導光板１０の外部に漏れることなく、効率良く発光部１２に導いて発光部１２を発光させることができる。このため、発光素子１１に高い輝度が要求されず、また発光素子１１の数を増やす必要もないので、装置全体が大型化せず、低コストで、発光素子１１からの光を効率良く導くことができ、これにより発光部１２を良好に発光させることができる。
【００４０】
この場合、導光板１０の下面全体に第１反射シート１４が設けられ、導光板１０の上面に第２反射シート１５が発光部１２を除いて設けられ、導光板１０の外周における側面に反射部材である上ケース２のリブ１７が対面にして配置されているので、発光素子１１からの光を採り込んで導光板１０が発光部１２に導く際に、第１、第２反射シート１４、１５および反射部材である上ケース２のリブ１６によって採り込んだ光が導光板１０から外部に漏れるのを確実に防ぐことができ、これにより発光素子１１からの光を効率良く発光部１２に導くことができる。
【００４１】
また、この照光装置６の導光板１０は、発光素子１１側に位置する一端部側が、発光素子１１の外形寸法とほぼ同じ厚みで、発光部１２側の導光板１０よりも下面側に厚く形成されていることにより、この導光板１０の厚みの厚い一端部に切欠き部１３を設け、この切欠き部１３内に発光素子１１を配置することができるので、発光素子１１をコンパクトに設置することができると共に、この発光素子１１からの光を切欠き部１３の内周面から導光板１０内に効率良く採り込むことができるほか、導光板１０の発光部１２側をカードリーダライタ部７上に配置しても、導光板１０の厚みの厚い一端部側をカードリードライタ部７上から離すことにより、機器全体の薄型化を図ることができる。
【００４２】
この場合、導光板１０は、発光素子１２側に位置する一端部側が下面側に向けて緩やかに湾曲しながら次第に厚みが厚くなると共に、発光部１２側の導光板１０よりも一段低く形成され、且つこの一段低い部分が発光素子１１の外形寸法とほぼ同じ厚みで、発光部１２側の導光板１０の厚みよりも厚く形成されていることにより、上記と同様、導光板１０の発光部１２側をカードリーダライタ部７上に配置しても、機器全体の薄型化を図ることができるほか、発光素子１１からの光を導光板１０の発光部１２側に効率良く導くことができる。
【００４３】
すなわち、導光板１０における発光素子１１側の一端部側は、導光板１０の下面側に向けて曲率半径の大きい曲線、つまり曲率の小さい曲線で、緩やかに湾曲しながら次第に厚みが厚く形成されているので、導光板１０の一端部側が発光部１２側の導光板１０よりも一段低く形成されていても、緩やかに湾曲しながら次第に厚みが厚くなる湾曲した部分によって、発光素子１１側に位置する導光板１０の一端部側から採り込んだ光を発光部１２側に効率良く導くことができる。
【００４４】
また、発光部１２は、全体が所定の幅を有する円形のリング状に形成され、導光板１０の上面から突出する凸形状に形成されていることことにより、導光板１０で導かれた光を効率良くリング状の発光部１２で発光させることができる。すなわち、発光部１２が円形のリング状に形成されていることにより、導光板１０で導かれた光を均一に発光部１２から放出させることができ、これにより発光部１２を均一に発光させることができる。この場合、発光部１２の上面には、微細な凹凸からなる拡散層１２ａが形成されていることにより、この微細な凹凸からなる拡散層１２ａによって放出する光を拡散させることができ、これによっても発光部１２を均一に発光させることができる。
【００４５】
また、発光素子１１は、所定の幅を有するリング状の発光部１２における外周と内周とにそれぞれ接する各接線のうち、導光板１０における発光素子１１側の一端部に対して直交する導光板１０の両側縁と平行する発光部１２の外周と内周との各接線Ｓの延長上の間に位置する箇所にそれぞれ配置されていることにより、発光素子１１で発光した光を導光板１０内で効率良く発光部１２側に向けて進行させることができると共に、導光板１０中に光をほぼ均一に進行させることでき、これによっても発光部１２の輝度を高めることができる。
【００４６】
この場合、発光素子１１側と反対側に位置する導光板１０の端部がほぼ半円形状に形成されていることことにより、発光素子１１からの光を導光板１０内に採り込んで導いた際、発光部１２を通り過ぎて発光素子１１側と反対側に位置する導光板１０の端部に到達した光を、導光板１０のほぼ半円形状の端部で全反射させることができ、これによっても発光素子１１の光を効率良く発光部１２に導いて発光部１２から放出させることができる。
【００４７】
また、この導光板１０は、その周囲が上ケース２に一体に形成されたリブ１６によって囲われていると共に、このリブ１６の内周面が導光板１０の外周における側面に対面する位置に設けられて、導光板１０の外周における側面に密接していることにより、導光板１０の周囲の側面から光が漏れるのを確実に防ぐことができるほか、リブ１６によって上ケース２の強度を補強することができる。このため、上ケース２が板状に形成され、且つカード載置部２ｆに照光孔２ｃが設けられて、上ケース２におけるカード載置部２ｆの強度が低下しても、リブ１６によって十分に上ケース２におけるカード載置部２ｆの強度を確保することができる。
【００４８】
また、この携帯端末機では、カードリーダライタ部７の上側に照光装置６である導光板１０の発光部１２側のみが配置され、導光板１０の発光素子１１側の端部がカードリーダライタ部７から離れた位置に配置されているので、導光板１０における発光素子１１側の一端部側の厚みを厚く形成しても、照光装置６をコンパクトに組み込むことができるほか、カードリーダライタ部７とＩＣカードとの間に照光装置６が介在されていても、上ケース２のカード載置部２ｆに密着または接近したＩＣカードとカードリーダライタ部７との間で確実に且つ良好にデータの授受を行うことができる。
【００４９】
この場合、カード載置部２ｆの中央には、照光装置６の発光部１２が円形のリング状に発光しているので、ＩＣカードを正確に且つ良好にカード載置部２ｆの中央に密着または接近させることができ、これによりカード載置部２ｆに対するＩＣカードの接近離間させる際の操作性が良い。また、このカード載置部２ｆは、その周囲によりも少し高く形成されているので、ＩＣカードを載せやすいばかりか、これによってもカード載置部２ｆに対するＩＣカードの接近離間させる際の操作性が良い。
【００５０】
さらに、この携帯端末機では、機器本体１内に設けられたスイッチ装置２０が、下ケース３側に設けられたスイッチ部２１と、上ケース２に設けられてスイッチ部２１の操作子２１ａを押圧する板ばね２２とを備え、上ケース２と下ケース３とが分離されたとき、または上ケース２と下ケース３との間に隙間が生じたときに、下ケース３側のスイッチ部２１の操作子２１ａから上ケース２の板ばね２２が離れて、スイッチ部２１がオフ状態になることにより、機器本体１内の重要なデータを消去または破壊することができ、これにより重要なデータが外部に漏れないようにすることができる。
【００５１】
また、この携帯端末機では、上ケース２の背面および下ケース３の底部に設けられた第１〜第３通気孔２ｄ、２３、２４が、全てルーバ構造に形成されていることにより、機器本体１の内部が外部から見えないように隠すことができるほか、第１〜第３通気孔２ｄ、２３、２４からプローブが刺し込まれ、この刺し込まれたプローブによって機器本体１内の回路基板８が操作される不正アクセスを防ぐことができ、これによってもセキュリティ対策を図ることができ、より一層、安全性の高いものを提供することができる。
【００５２】
この場合、上ケース２内における背面には、保護フィルム２５が第１通気孔２ｅに対応して設けられているので、プローブによって機器本体１内の回路基板８が操作されるのを確実に防ぐことができる。また、下ケース３内には、キーボード部５のスイッチ基板５ａを覆う保護板２６が取り付けられているので、第２、第３通気孔２３、２４、および上ケース２と下ケース３との隙間からプローブが刺し込まれても、保護板２６によってスイッチ基板５ａが操作されるのを確実に防ぐことができると共に、保護板２６が金属製であるからスイッチ基板５ａのグランド（基準電位）の強化をも図ることができる。
【００５３】
なお、上記実施形態の照光装置６では、導光板１０の上面に設けられた発光部１２が円形のリング状に形成されている場合について述べたが、必ずしも円形状である必要はなく、例えば楕円形状、または三角形状、四角形状、五角形状などの多角形状のほぼ環状に形成しても良い。この場合、六角形状以上の多角形状であれば、円形状に近づくので、発光部１２を均一に発光させやすい。
【００５４】
また、上記実施形態の照光装置６では、発光部１２の上面に微細な凹凸からなる拡散層１２ａを設けた場合について述べたが、これに限らず、例えば図２３に示す変形例のように、発光部１２の上面に拡散シート３０を設けた構成でも良い。このように構成しても、上述した実施形態の微細な凹凸からなる拡散層１２ａと同様、拡散シート３０によって発光部１２から放出される光を拡散させることができるので、発光部１２を均一に発光させることができる。
【００５５】
さらに、上記実施形態では、決済用の携帯端末機に適用した場合について述べたが、必ずしも決済用の携帯端末機である必要はなく、注文を取るための携帯端末機であっても良く、また必ずしも携帯端末機である必要はなく、携帯型の各種の電子機器にも適用することができる。
【図面の簡単な説明】
【００５６】
【図１】この発明の照光装置を適用した携帯端末機の一実施形態を示した外観斜視図である。
【図２】図１の携帯端末機を上下反転させて示した外観斜視図である。
【図３】図１の携帯端末機の正面図である。
【図４】図１の携帯端末機の底面図である。
【図５】図１の携帯端末機においてカード載置部に保護シートを取り付ける状態を示した一部分解斜視図である。
【図６】図１の携帯端末機において上ケースを取り外した状態の斜視図である。
【図７】図３のＡ−Ａ矢視における断面図である。
【図８】図７の要部を拡大して示した断面図である。
【図９】図１の上ケースを上下反転させて示した斜視図である。
【図１０】図９の上ケースの要部を示した斜視図である。
【図１１】図６の照光装置を示した拡大平面図である。
【図１２】図１１の照光装置を分解して示した側面図である。
【図１３】図１２の照光装置を示した分解斜視図である。
【図１４】図２の状態の携帯端末機において上ケースと下ケースとを分離させる際の状態を示した斜視図である。
【図１５】図１４の状態における携帯端末機の側面図である。
【図１６】図１４のＢ−Ｂ矢視における断面図である。
【図１７】図１５の携帯端末機において下ケースを想像線で示した斜視図である。
【図１８】図１７の携帯端末機において下ケースを取り外した状態の斜視図である。
【図１９】図１８のスイッチ装置を示した拡大斜視図である。
【図２０】図１９のスイッチ装置の動作状態を示し、（ａ）は上ケースと下ケースとが閉じている状態におけるスイッチ装置の拡大断面図、（ｂ）は上ケースと下ケースとが開いた図１６の状態におけるスイッチ装置の拡大断面図である。
【図２１】図１８において回路基板を取り外した状態を示した斜視図である。
【図２２】図２１において保護板を取り外した状態を示した斜視図である。
【図２３】この発明の照光装置の変形例を示した要部の拡大側面図である。
【符号の説明】
【００５７】
１  機器本体
２  上ケース
２ｄ  照光孔
３  下ケース
６  照光装置
７  カードリーダライタ部
８  回路基板
１０  導光板
１１  発光素子
１２  発光部
１２ａ  拡散層
１３  切欠き部
１４  第１反射シート
１５  第２反射シート
１５ａ  外側反射シート
１５ｂ  内側反射シート
１６  リブ
３０  拡散シート
【図１】
2009032430.tif 000003
【図２】
2009032430.tif 000004
【図３】
2009032430.tif 000005
【図４】
2009032430.tif 000006
【図５】
2009032430.tif 000007
【図６】
2009032430.tif 000008
【図７】
2009032430.tif 000009
【図８】
2009032430.tif 000010
【図９】
2009032430.tif 000011
【図１０】
2009032430.tif 000012
【図１１】
2009032430.tif 000013
【図１２】
2009032430.tif 000014
【図１３】
2009032430.tif 000015
【図１４】
2009032430.tif 000016
【図１５】
2009032430.tif 000017
【図１６】
2009032430.tif 000018
【図１７】
2009032430.tif 000019
【図１８】
2009032430.tif 000020
【図１９】
2009032430.tif 000021
【図２０】
2009032430.tif 000022
【図２１】
2009032430.tif 000023
【図２２】
2009032430.tif 000024
【図２３】
2009032430.tif 000025